(57)【要約】  塗料分散装置は、リムによって画定された開放上部、およびリムから延伸するカラーを有するブラシ・ホルダ容器を含む。塗料分散パネルは、上端でカラーに結合され、背面はブラシ・ホルダ容器に面しかつ離間して配置される。スロットは、バケツのリムを受け入れるために、塗料分散パネルおよびブラシ・ホルダ容器に対向するカラーの端部から下方へ延伸するフランジによって画定される。【特許請求の範囲】
【請求項１】
リムによって画定された開放上部を有するブラシ・ホルダ容器と、
前記リムの周囲から延伸するカラーと、
前面、背面、および上端を有する塗料分散パネルであって、前記上端は前記カラーに結合されると共に、前記背面は前記ブラシ・ホルダ容器に面しかつ離間して配置される、塗料分散パネルと、
バケツのリムを受け入れるために、前記カラーの端部から下方へ延伸し、前記塗料分散パネルおよび前記ブラシ・ホルダ容器に対向するフランジによって画定されたスロットと、
から構成されることを特徴とする塗料分散装置。
【請求項２】
前記塗料分散パネルの前記前面は、複数の突出部を含むことを特徴とする請求項１記載の塗料分散装置。
【請求項３】
前記ブラシ・ホルダ容器は、その底部内に形成された排出孔を含むことを特徴とする請求項１記載の塗料分散装置。
【請求項４】
前記カラーは、第１終端および第２終端を有する平坦な端部、および、前記リムの周囲を前記第１終端から前記第２終端まで延伸する湾曲した端部を含むことを特徴とする請求項１記載の塗料分散装置。
【請求項５】
前記塗料分散パネルは対向する側端を含み、各側端は、そこから角度を持って延伸するフランジを有することを特徴とする請求項４記載の塗料分散装置。
【請求項６】
前記ブラシ・ホルダ容器から前記塗料分散パネルの前記背面まで延伸するブレースをさらに含むことを特徴とする請求項１記載の塗料分散装置。
【請求項７】
底部から開放上部を画定するリムまで延伸する連続的な側壁を有するブラシ・ホルダと、
前記リムに結合されかつそれを包囲するカラーであって、前記カラーは、第１終端および第２終端を有する平坦な端部、および、前記リムの周囲を前記第１終端から前記第２終端まで延伸する湾曲した端部を有する、カラーと、
前面、背面、上端、下端、対向する側端を有する塗料分散パネルであって、前記上端は、前記カラーの前記平坦な端部に結合されると共に、前記背面は前記ブラシ・ホルダに面しかつ離間して配置される、塗料分散パネルと、
前記カラーの湾曲した端部から下方へ延伸し、前記塗料分散パネルおよび前記ブラシ・ホルダに対向するフランジによって画定されたスロットと、
から構成されることを特徴とする塗料分散装置。
【請求項８】
前記塗料分散パネルの前記前面は、複数の突出部を含むことを特徴とする請求項７記載の塗料分散装置。
【請求項９】
前記ブラシ・ホルダは、その底部内に形成された排出孔を含むことを特徴とする請求項７記載の塗料分散装置。
【請求項１０】
前記ブラシ・ホルダから前記塗料分散パネルの前記背面まで延伸するブレースをさらに含むことを特徴とする請求項７記載の塗料分散装置。
【請求項１１】
前記塗料分散パネルは、前記上端から前記下端まで前記ブラシ・ホルダから遠ざかるように傾斜することを特徴とする請求項７記載の塗料分散装置。
【請求項１２】
プラスチック材料から一体的に成形されることを特徴とする請求項７記載の塗料分散装置。
【請求項１３】
前記塗料分散装置は、対向する各端部から角度を有して延伸するフランジをさらに含むことを特徴とする請求項７記載の塗料分散装置。
【請求項１４】
湾曲したリムを有するバケツと、
底部から開放上部を画定するリムまで延伸する連続的な側壁を有するブラシ・ホルダと、
前記リムに結合されかつそれを囲むカラーであって、前記カラーは、第１終端および第２終端を有する平坦な端部、および、前記リムの周囲を前記第１終端から前記第２終端まで延伸する湾曲した端部を有する、カラーと、
前面、背面、上端、下端、対向する側端を有する塗料分散パネルであって、前記上端は、前記カラーの前記平坦な端部に結合されると共に、前記背面は前記ブラシ・ホルダに面しかつ離間して配置される、塗料分散パネルと、
前記カラーの湾曲した端部から下方へ延伸し、前記塗料分散パネルおよび前記ブラシ・ホルダに対向するフランジによって画定されたスロットであって、前記バケツの前記リムが前記スロットによって受け入れられる、スロットと、
から構成されることを特徴とする塗料分散装置。
【請求項１５】
前記塗料分散パネルの前記前面は、複数の突出部を含むことを特徴とする請求項１４記載の塗料分散装置。
【請求項１６】
前記ブラシ・ホルダは、その底部内に形成された排出孔を含むことを特徴とする請求項１４記載の塗料分散装置。
【請求項１７】
前記ブラシ・ホルダから前記塗料分散パネルの前記背面まで延伸するブレースをさらに含むことを特徴とする請求項１４記載の塗料分散装置。
【請求項１８】
前記塗料分散パネルは、前記上端から前記下端まで前記ブラシ・ホルダから遠ざかるように傾斜することを特徴とする請求項１４記載の塗料分散装置。
【請求項１９】
プラスチック材料から一体的に成形されることを特徴とする請求項１４記載の塗料分散装置。
【発明の詳細な説明】
【技術分野】
【０００１】
本発明は塗装用具に関し、より詳しくは、本発明は塗装用付属品に関する。
【背景技術】
【０００２】
ローラから余分な塗料を除去するための装置は、塗装業者間に古くから知られ、使用されてきた。塗料ローラ皿は伝統的に使用され、浅い端部からより深い端部へ傾斜した浅い皿を含む。塗料は皿に入れられ、ローラはそこに浸される。余分な塗料は、傾斜した底部でローラを回転することにより除去される。一般に大きな構造物を塗装する塗装業者は、その中で何度も塗料の補充ができる５ガロンのバケツのような大きな塗料バケツから、直接に塗料を使用する。塗料ローラから余分な塗料を除去するという課題は、塗料ローラ・グリッドを使用することにより解決された。従来のローラ・グリッドは、ワイヤ・グリッドを支持する金属フレームから成る。金属フレームは、間隔を広く空けて配置された１組のブラケットを含む。ブラケットは、塗料バケツのリム上に取り付けられ、バケツの側面から下がる金属フレームを支持する。金属フレームには、装置のために必要な剛性および強度を提供することが求められる。金属フレームは、ローラから余分な塗料を除去している間、１組のブラケット間に撓みや曲がりを生ぜしめることなく、グリッドを平坦な形状に維持しなければならない。
【０００３】
多くの場合、トリミング・ブラシ、スポンジ、および同種のもののような追加の用具が、塗装作業中に使用される。従来のローラ・グリッドは、これらの付属的な用具を支持または保持するための構造を含まない。
【０００４】
従って、先行技術に内在する前記または他の欠点を改善することは、大いに有益である。
【０００５】
従って、本発明の目的は、使用中の強度および剛性を提供するために、上端全体に沿って支持される、新規かつ改善された塗料分散装置を提供することである。
【発明の開示】
【０００６】
簡潔に述べると、本発明の好適な実施例に従って本発明に要求された目的を達成するために、リムによって画定された開放上部を有するブラシ・ホルダ容器、リムの周囲から延伸するカラー、ならびに、前面、背面、および上端を有する塗料分散パネルを含む塗料分散装置が提供される。上端は、カラーに結合されると共に、背面はブラシ・ホルダ容器に面しかつ離間して配置される。スロットは、バケツのリムを受け入れるために、カラーの端部から下方へ延伸し、塗料分散パネルおよびブラシ・ホルダ容器に対向するフランジによって画定される。
【０００７】
さらなる側面では、カラーは、第１終端および第２終端を有する水平な端部、およびリムの周囲に第１終端から第２終端まで延伸する湾曲した端部を含む。スロットを画定するフランジは、湾曲した端部の周囲に延伸する。
【０００８】
本発明について前述され、さらにより特定の目的および利点は、以下の好適な実施例の詳細な説明を図面と共に読むことにより、当業者にとって容易に明らかになるであろう。
【本発明を実施するための最良のモード】
【０００９】
ここで図面に関し、いくつかの図面を通じて、同じ参照番号は対応する要素を示す。先ず図１および図２に注目して、そこでは一般に１０が付された塗料分散装置が図示されるが、それは任意のバケツ１２に入れて持ち運ばれるように表される。バケツ１２は、リム１４によって画定された開放上部を有する任意の従来型のバケツである。しかしながら、好適な実施例では、バケツ１２は、塗料を持ち運びかつ供給するために一般的に使用される従来型の５ガロンのバケツである。装置１０は、ブラシ・ホルダ容器１５、カラー１６、および塗料分散パネル１８を含む。カラー１６は、容器１５から延伸し、バケツ１２内で塗料分散パネル１８を支持する。
【００１０】
次に、図３、図４、および図５に関し、塗料分散装置１０が明瞭に示される。ブラシ・ホルダ容器１５は、底部２２からリム２３まで延伸する連続的な側壁２０を含む。側壁２０および底部２２は、開放上部２５によってアクセス可能なボリューム２４を画定する。開放上部２５はリム２３によって画定され、この好適な実施例では、カラー１６からブラシ・ホルダ容器１５への移行を滑らかにするために丸められる。ブラシ・ホルダ容器１５は、好ましくは塗装ブラシを受け入れるために形成されるが、必要に応じて他の形状を有してもよい。特に注目すべきは、ブラシ・ホルダ容器１５は、側面から側面までの長さが、前面から背面までの幅よりも長いことである。
【００１１】
カラー１６は、ブラシ・ホルダ容器１５のリム２３に結合され、それを包囲する。カラー１６は、一般にリム２３の丸められた端部と連続し、第１終端２８および第２終端２９を有する平坦な端部２６を含む。湾曲した端部３０は、リム２３の周囲を第１終端２８から第２終端２９まで延伸する。スロット３２は、カラー１６の湾曲した端部３０から下方へ延伸するフランジ３３によって画定される。フランジ３３は、第１終端２８から第２終端２９まで、湾曲した端部３０のほぼ全長にわたって延伸する。
【００１２】
塗料分散パネル１８は、前面４０、背面４２、上端４３、下端４４、および対向する側端４５を有する。上端４３は、カラー１６の平坦な端部２６に結合されると共に、背面４２は、ブラシ・ホルダ容器１５の側壁２０に面しかつ離間して配置される。上端４３は全長にわたってカラーに結合され、したがって、カラー１６によって支持される。対向する各側端４５から延伸するフランジ４８によって、塗料分散パネル１８に付加的な剛性が加えられる。フランジ４８は、対向する側端４５のほぼ全長にわたって延伸し、そこにある角度を持って形成される。好適な実施例では、フランジ４８は、垂直剛性を提供するために塗料分散パネル１８とほぼ直角であるが、９０度よりも大きい角または小さい角を用いてもよい。前面４０は、塗料を分散する特性を提供するために、表面構造が形成される。表面構造は、好ましくは、そこに形成された多くの突出部によって提供される。実質上、任意の形状の突出部を使用することができるが、下方に向いた山形の突出部４９が好適である。各山形４９の両腕の下向きの角度によって、塗料が塗料ローラから除去された後、塗料をバケツ１２の下方へ流すことができる。
【００１３】
スロット３２は、塗料分散パネル１８に対向するカラー１６の湾曲した端部３０から延伸し、バケツ１２のリム１４を受け入れ、それによってブラシ・ホルダ容器１５および塗料分散パネル１８をバケツ１２内に吊り下げる。このように、湾曲した端部３０の全体は、バケツ１２のリム１４と噛み合い、そこに安定的に装着されるとともに、そこからの支持を提供する。したがって、カラー１６の全長が支持され、さらに塗料分散パネル１８の全幅が支持される。
【００１４】
ここで、図６および７を参照して、ブラシ・ホルダ容器１５は、その底部２２内に形成された排出孔５０を含む。排出孔５０は、そこに収納されたブラシから塗料が流出し、再びバケツ１２内に戻ることを可能にする。塗料分散パネル１８とブラシ・ホルダ容器１５との間に付加的な支持および剛性を提供するために、ブラシ・ホルダ容器１５から塗料分散パネル１８の背面４２へ延伸するブレース５２が提供される。複数の装置１０を積重ね可能にするという目的のために、好ましくは、ブレース５２は、上端４３に近接する背面４２およびリム２３に近接する側壁２０に限定される。したがって、他の塗料分散装置１０のブラシ・ホルダ容器１５をブラシ・ホルダ容器１５内に収容することが可能になる。重ねられる装置１０の塗料分散パネル１８は、ブラシ・ホルダ容器１５を収容する装置１０の塗料分散パネル１８の上に重なるであろう。さらに、塗料分散パネル１８の前面４０は、カラー１６に対してわずかに角度を有する。換言すれば、塗料分散パネル１８は、上端４３から下端４４まで、ブラシ・ホルダ容器１５から遠ざかるように傾斜する。傾斜角度は、パネル１８を作業に適するものにするために、要望に応じて変更することができる。
【００１５】
塗料分散パネル１８は、上端４３の全体に沿って支持され、さらにフランジ４８によって強化されるので、例えば金属のような、従来のローラ・グリッドで使用される材料よりも強さが劣る材料も使用することができる。好適な実施例では、塗料分散装置１０は、成形プラスチック材料から単一の一体物として形成される。
【００１６】
ここでは説明目的のために選択された実施例に対する様々な変更および修正が、当業者には容易に想起できるであろう。そのような修正および変更が本発明の精神から逸脱しない限り、それらは、本発明の範囲に含まれることが意図されており、添付の請求項の公正な解釈によってのみ評価される。
【００１７】
本発明は、当業者が理解し、同じように実施できるほど明確および詳細に記述された。
【図面の簡単な説明】
【００１８】
【図１】それがバケツによって持ち運ばれる状態を表した、本発明に従った塗料分散装置の正面斜視図である。
【図２】図１のバケツによって持ち運ばれる塗料分散装置の背面斜視図である。
【図３】本発明に従った塗料分散装置の斜視図である。
【図４】図３の塗料分散装置の背面斜視図である。
【図５】図３の塗料分散装置の底面斜視図である。
【図６】図３の塗料分散装置の平面図である。
【図７】図３の塗料分散装置の側面平面図である。
【図１】
2008535655.tif 000002
【図２】
2008535655.tif 000003
【図３】
2008535655.tif 000004
【図４】
2008535655.tif 000005
【図５】
2008535655.tif 000006
【図６】
2008535655.tif 000007
【図７】
2008535655.tif 000008
【国際調査報告】
2008535655.tif 000009